(57)【要約】【課題】洗浄ノズルの先端部外面の汚れを確実に掃除でき、衛生状態を確保することができるトイレ装置を提供する。【解決手段】人体の局部に洗浄水を噴出する洗浄ノズル１７、１８を有する温水洗浄装置を備えたトイレ装置において、給水元に第１の止水電磁弁６を介して瞬間加熱式の熱交換器１２を接続し、この熱交換器１２の２次側を、ポンプ１４と切換弁１５を介して洗浄ノズル１７、１８内に供給する局部洗浄水路２０と、第２の止水電磁弁２２を介して洗浄ノズル１７、１８の外面を洗浄するノズル洗浄水路２１とに分岐し、高温の洗浄水をノズル洗浄水路２１に通して洗浄ノズル１７、１８の外面を洗浄するようにした。【選択図】      図１
2004263422.tif 000002
【特許請求の範囲】
【請求項１】
人体の局部に洗浄水を噴出する洗浄ノズルを有する温水洗浄装置を備えたトイレ装置において、給水元に第１の止水電磁弁を介して瞬間加熱式の熱交換器を接続し、この熱交換器の２次側を、洗浄ノズル内に供給する局部洗浄水路と、第２の止水電磁弁を介して洗浄ノズルの外面を洗浄するノズル洗浄水路とに分岐したことを特徴とするトイレ装置。
【請求項２】
人体が便座に着座していることを検知する着座検知手段を設け、着座検知中はノズル洗浄水路への通水を禁止する制御手段を設けたことを特徴とする請求項１記載のトイレ装置。
【請求項３】
ノズル洗浄を指示するノズル洗浄スイッチを設け、ノズル洗浄スイッチオン時に、第１の止水電磁弁及び第２の止水電磁弁を開き、熱交換器に設けた温度検知手段の検出温度が所定温度になるまで熱交換器のヒータをオンする制御手段を設けたことを特徴とする請求項１又は２記載のトイレ装置。
【請求項４】
ノズル洗浄を指示するノズル洗浄スイッチを設け、ノズル洗浄スイッチオン時に、第１の止水電磁弁及び第２の止水電磁弁を開き、熱交換器に設けた温度検知手段の検出温度が所定温度になるように熱交換器のヒータを制御し、その状態を所定時間継続する制御手段を設けたことを特徴とする請求項１又は２記載のトイレ装置。
【請求項５】
熱交換器の１次側の逃がし通路にオリフィスを設けたことを特徴とする請求項１〜４の何れかに記載のトイレ装置。
【請求項６】
熱交換器の１次側の逃がし通路に流量調整弁を設けたことを特徴とする請求項１〜４の何れかに記載のトイレ装置。
【請求項７】
熱交換器に設けた温度検知手段の検出温度に応じて流量調整弁の開度を制御し、洗浄水の温度を段階的に制御する制御手段を設けたことを特徴とする請求項６記載のトイレ装置。
【請求項８】
ノズル洗浄水路に所定温度以上の高温を検知する高温検知手段を設け、高温検知時に第１の止水電磁弁を閉じる制御手段を設けたことを特徴とする請求項１〜７の何れかに記載のトイレ装置。
【請求項９】
第２の止水電磁弁に代えて、局部洗浄水路の温度が所定温度以上になると開弁する安全弁機構を設けたことを特徴とする請求項１記載のトイレ装置。
【発明の詳細な説明】
【０００１】
【発明の属する技術分野】
本発明はトイレ装置に関し、特に洗浄ノズルの掃除機能を有する温水洗浄装置を備えたトイレ装置に関するものである。
【０００２】
【従来の技術】
従来から、温水洗浄装置を備えたトイレ装置は知られており、その温水洗浄装置として、洗浄水をヒータを内蔵した洗浄水タンクに常時所望の温度に保持した状態で貯留させておき、洗浄時に洗浄水を洗浄水タンクからポンプや給水圧にて洗浄ノズルに向けて送給し、洗浄ノズルから人体の局部に洗浄水を噴出させるようにしたものが知られている。
【０００３】
また、このような温水洗浄装置において、局部洗浄時よりも高い温度の洗浄水を洗浄ノズル内に流して洗浄ノズルの掃除を行うようにしたものも知られている（例えば、特許文献１参照。）。
【０００４】
また、洗浄ノズルの先端部の外面に洗浄水を流すことにより、洗浄ノズルの先端部外面に付着した汚物などを確実に掃除できるようにした温水洗浄装置も知られている（例えば、特許文献２、特許文献３参照。）。
【０００５】
洗浄ノズルの先端部外面を掃除できる温水洗浄装置の一例を、図４〜図６を参照して説明する。温水洗浄装置４０は、おしり洗浄ノズル４２とビデ洗浄ノズル４３と掃除ノズル４４とを有するノズルユニット４１と、おしり洗浄ポートとビデ洗浄ポートと掃除ポートとを有してこれらポートに対して択一的に洗浄水を供給する四方口の流量調節切換弁４５と、所定水量の温水を貯えるとともに内蔵した加熱ヒータ４６ａにて所定の水温に制御可能に構成された温水タンク４６と、水道端末４７から定流量弁４８と電磁開閉弁４９を介して温水タンク４６に水を供給する給水手段５０とを備えており、洗浄時や掃除時に給水手段５０の電磁開閉弁４９を開いて温水タンク４６内に給水することにより、温水タンク４６内の温水がノズルユニット４１に向けて押し出されるように構成されている。なお、給水手段５０には定流量弁４８での流量とノズルから噴出する流量との差の余剰水を便器に排出する逃がし弁５１が設けられている。
【０００６】
掃除ノズル４４は、図５、図６に示すように、洗浄ノズル４２、４３の先端部を上方から覆う断面略倒立Ｕ字状のカバー５２の上部に掃除用洗浄水通路５３を設け、各洗浄ノズル４２、４３の先端部に対向する位置に掃除噴射穴５４ａ、５４ｂを開口して構成されている。掃除用洗浄水通路５３は、その一端開口に装着された継手５５と掃除用ホース５６を介して流量調節切換弁４５の掃除ポートに接続されている。これにより、電磁開閉弁４９を開いた状態で流量調整切換弁４５を掃除ポートに切り換えると、洗浄水が掃除噴射穴５４ａ、５４ｂから洗浄ノズル４２の先端部の外面に向けて噴出されて掃除が行われる。
【０００７】
【特許文献１】
特開平１０−３１１０７８号公報
【０００８】
【特許文献２】
特開２０００−１２０１４５号公報
【０００９】
【特許文献３】
特開２００１−１５２５１８号公報
【００１０】
【発明が解決しようとする課題】
しかしながら、上記特許文献１に開示された温水洗浄装置では、洗浄ノズルに高温の洗浄水を通して掃除する方式であるため、高温水使用中は通常操作を禁止するモードを設けているが、万一回路異常があると人体に高温水が噴射される危険性があるという問題がある。また、洗浄ノズルの先端部の外面に汚物等が付着した場合、洗浄ノズルから高温の洗浄水を流出させてもその汚れは掃除され難く、汚れが放置されたままとなって不衛生になるという問題がある。
【００１１】
一方、特許文献２や特許文献３に開示された温水洗浄装置では、洗浄ノズル４２、４３の先端部の外面に洗浄水が噴出されるので、洗浄ノズルの先端部の外面に汚物等が付着しても掃除できるが、局部を洗浄する洗浄水の温度は比較的低いので、汚物がこびり付いて容易に掃除できない場合が生じ、その場合残った部分が核となって汚物が堆積固化して掃除不可能な状態になることがあり、衛生状態を完全に保つことができないことがあるという問題がある。
【００１２】
本発明は、上記従来の問題点に鑑み、洗浄ノズルの先端部外面の汚れを確実に掃除でき、衛生状態を確保することができるトイレ装置を提供することを目的としている。
【００１３】
【課題を解決するための手段】
本発明のトイレ装置は、人体の局部に洗浄水を噴出する洗浄ノズルを有する温水洗浄装置を備えたトイレ装置において、給水元に第１の止水電磁弁を介して瞬間加熱式の熱交換器を接続し、この熱交換器の２次側を、洗浄ノズル内に供給する局部洗浄水路と、第２の止水電磁弁を介して洗浄ノズルの外面を洗浄するノズル洗浄水路とに分岐したものであり、高温の洗浄水をノズル洗浄水路に通して洗浄ノズルの外面を洗浄することができるので、洗浄ノズルの汚れを確実に掃除して衛生状態を確保することができ、かつ共通の熱交換器によって洗浄ノズルの外面を洗浄する高温の洗浄水も発生させるので、専用の加熱装置を必要とせず、また局部洗浄水路に配設されるポンプや切換弁などに高温の洗浄水を通さないので高い耐熱性が要求されず、安価に構成できる。
【００１４】
また、人体が便座に着座していることを検知する着座検知手段を設け、着座検知中はノズル洗浄水路への通水を禁止する制御手段を設けると、着座している状態で高温の洗浄水が供給されず、高温水の飛散がないので安全である。
【００１５】
また、ノズル洗浄を指示するノズル洗浄スイッチを設け、ノズル洗浄スイッチオン時に、第１の止水電磁弁及び第２の止水電磁弁を開き、熱交換器に設けた温度検知手段の検出温度が所定温度になるまで熱交換器のヒータをオンする制御手段を設けると、ノズル洗浄スイッチのオンによって必ず所定温度の洗浄水にてノズル洗浄を行うことができ、汚れを確実に除去して衛生状態を確保することができる。
【００１６】
また、ノズル洗浄を指示するノズル洗浄スイッチを設け、ノズル洗浄スイッチオン時に、第１の止水電磁弁及び第２の止水電磁弁を開き、熱交換器に設けた温度検知手段の検出温度が所定温度になるように熱交換器のヒータを制御し、その状態を所定時間継続する制御手段を設けると、所定温度の洗浄水を所定時間確実に供給してノズル洗浄を行うため、汚れを一層確実に除去して衛生状態を確保することができる。
【００１７】
また、熱交換器の１次側の逃がし通路にオリフィスを設けると、ノズル洗浄水路に流れる水量を所定流量に確保できる。
【００１８】
また、熱交換器の１次側の逃がし通路に流量調整弁を設けると、この流量調整弁の開度によってノズル洗浄水路に流れる水量を調整でき、それに伴って洗浄水の水温を調整することができて好適である。
【００１９】
また、熱交換器に設けた温度検知手段の検出温度に応じて流量調整弁の開度を制御し、洗浄水の温度を段階的に制御する制御手段を設けると、ノズル洗浄に用いる洗浄水の温度を段階的に調整でき、汚れの状態に応じて適当な温度の洗浄水でノズルの掃除を行えて便利である。
【００２０】
また、ノズル洗浄水路に所定温度以上の高温を検知する高温検知手段を設け、高温検知時に第１の止水電磁弁を閉じる制御手段を設けると、熱交換器における温度検知が適正に作動せず、所定温度以上の高温水が発生した場合に、第１の止水電磁弁が閉じられて熱交換器への給水が停止されるので、洗浄ノズルにそのような高温水が供給されず、安全である。なお、一定水量以上の水が流れないときは熱交換器のヒータに対する通電が停止されるように構成されている。
【００２１】
また、第２の止水電磁弁に代えて、局部洗浄水路の温度が所定温度以上になると開弁する安全弁機構を設けると、局部洗浄水路に高温水が流れることがないため人体に高温水がかかる恐れを無くすことができるとともに、局部洗浄水路に耐熱性を持たせる必要がないので、安価に構成することができる。
【００２２】
【発明の実施の形態】
以下、本発明のトイレ装置の一実施形態について、図１〜図３を参照して説明する。
【００２３】
本実施形態のトイレ装置における温水洗浄装置の構成を示す図１において、給水元に接続された便器洗浄用の給水管路１からアングル水栓１ａにて温水洗浄装置への給水管２が分岐され、ストレーナ３、逆止弁４、定流量弁５を介して第１の止水電磁弁６に接続されている。定流量弁５は第１の止水電磁弁６の開弁時に１０００ｃｃ／ｍｉｎ程度の洗浄水が定量給水されるように設定されている。第１の止水電磁弁６から、負圧の発生を防止するための大気開放弁７と余分な水を便器内に放出するとともにその流量を絞るオリフィス９を有する逃がし通路８を設けられた分岐通路１０と、流量検出手段１１とを介してヒータ１３を内蔵した瞬間加熱式の熱交換器１２に接続されている。この熱交換器１２にて所定温度に加熱された洗浄水はポンプ１４にて流量調節切換弁１５を介してノズルユニット１６に送給される。流量調節切換弁１５は、入口ポート１５ａと、おしり洗浄ポート１５ｂ及びその噴出形態調整ポート１５ｃと、ビデ洗浄ポート１５ｄとを有し、モータ１５ｅにて弁体（図示せず）の回転位置を制御することで各ポート１５ａ〜１５ｄの切換と流量調節を行うように構成されている。
【００２４】
熱交換器１２とポンプ１４の間で、ポンプ１４と流量調節切換弁１５を介してノズルユニット１６に至る局部洗浄水路２０と、第２の止水電磁弁２２を介してノズルユニット１６に至るノズル洗浄水路２１に分岐されている。
【００２５】
ノズルユニット１６は、おしり洗浄ノズル１７とビデ洗浄ノズル１８とこれら洗浄ノズル１７、１８における洗浄水噴出口が設けられている先端部外面を掃除するための掃除ノズル１９を備えている。おしり洗浄ノズル１７にはおしり洗浄ポート１５ｂ及びその噴出形態調整ポート１５ｃからの洗浄水が供給され、ビデ洗浄ノズル１８にはビデ洗浄ポート１５ｄからの洗浄水が供給される。掃除ノズル１９にはノズル洗浄水路２１から供給された高温水が供給される。
【００２６】
第１の止水電磁弁６、熱交換器１２のヒータ１３、ポンプ１４、流量調節切換弁１５、第２の止水電磁弁２２は制御部２３にて作動制御される。制御部２３には、ノズル洗浄を指令するノズル洗浄スイッチ２４の作動信号と、流量検出手段１１、便座に人体が着座したことを検知する着座センサ２５、熱交換器１２に配設された温度検知手段２６、ノズル洗浄水路２１の入口部に所定温度以上の高温を検知するように配設された高温検知手段２７などからの検出信号が入力されている。
【００２７】
ノズルユニット１６において、図２に示すように、洗浄ノズル１７、１８の近傍の上部に洗浄水通路３０が配設され、その上端の入口３１がノズル洗浄水路２１に接続ホース（図示せず）にて接続され、下端に洗浄ノズル１７、１８の先端部を指向するように出口３２が設けられている。出口３２は、図２及び図３に示すように、洗浄ノズル１７、１８の先端部を囲うように配設されたカバー３３の上端部内に臨んでおり、この出口３２とカバー３３の上端部にて掃除ノズル１９が構成されている。
【００２８】
なお、図２において、３４は洗浄動作時に洗浄ノズル１７、１８を水圧突出移動後、洗浄位置を調節する作動機構部であり、洗浄ノズル１７、１８の下部に配設されている。また、この作動機構部３４の適所に流量調節切換弁１５も配設され、適宜給水ホース（図示せず）にて各ポート１５ｂ〜１５ｄと洗浄ノズル１７、１８が接続されている。
【００２９】
次に、主な動作を説明すると、用便が終わって洗浄スイッチ（図示せず）を押すと、動作プログラムに基づいて、適宜設定手段（図示せず）にて設定された洗浄条件に合わせて制御部２３によって第１の止水電磁弁６、熱交換器１２のヒータ１３、ポンプ１４、及び流量調節切換弁１５のモータ１５ｅが動作制御され、洗浄ノズル１７又は１８から局部に向けて所望温度、所望噴出量の洗浄水が噴出され、洗浄が行われる。
【００３０】
一方、洗浄ノズル１７又は１８の先端部の外面に汚物が付着して汚れたために掃除を行う場合には、ノズル洗浄スイッチ２４を操作すると、制御部２３は着座センサ２５からの検出信号によって便座上に人が着座していないことを確認した後、第１の止水電磁弁６及び第２の止水電磁弁２２を開く。着座検知中は、これらの動作と以降の動作は禁止される。止水電磁弁６、２２が開くと、オリフィス９で絞られているため逃がし通路８には７００〜８００ｃｃ／ｍｉｎ程度の水が放出され、残りの２００〜３００ｃｃ／ｍｉｎ程度の水が熱交換器１２を通ってノズル洗浄水路２１に給水される。また、制御部２３は引き続いて熱交換器１２に設けた温度検知手段２６の検出温度が例えば６０〜７０℃程度の所定温度になるまで熱交換器１２のヒータ１３をオンする。これにより６０〜７０℃程度の高温の洗浄水がノズル洗浄水路２１に給水され、この高温の洗浄水が掃除ノズル１９から洗浄ノズル１６、１７の先端部外面に向けて流出し、カバー３３にて案内されて洗浄水が周囲に飛散することなく効率的に噴射され、洗浄ノズル１６、１７の先端部外面の汚れが確実に掃除され、衛生状態を確保することができる。
【００３１】
なお、上記のように、温度検知手段２６の検出温度が所定温度になるまでヒータ１３をオンするだけでなく、温度検知手段２６の検出温度が所定温度になるようにヒータ１３を制御するとともに、その状態を所定時間継続するように制御しても良く、そうすることで所定温度の洗浄水を所定時間確実に供給してノズル洗浄を行うため、汚れを一層確実に除去して衛生状態を確保することができる。
【００３２】
また、ノズル洗浄水路２１の温度を高温検知手段２７でモニターしており、例えば８０〜９０℃以上の高温を検知すると、制御部２３は第１の止水電磁弁６を閉じる。これにより、万一、熱交換器１２に配設した温度検知手段２６が適正に作動せず、熱交換器１２で所定温度以上の高温水が発生した場合に熱交換器１２への給水が停止される。その結果、流量検出手段１１にて給水停止が検知されて制御部２３がヒータ１３への通電を緊急停止することになる。よって、洗浄ノズル１７、１８に向けてそのような高温水が供給されず、安全が確保されるとともに、熱交換器１２が保護される。
【００３３】
以上のように本実施形態によれば、高温の洗浄水をノズル洗浄水路２１に通して洗浄ノズル１７、１８の外面を洗浄するようにしたので、洗浄ノズル１７、１８の汚れを確実に掃除して衛生状態を確保することができ、かつ共通の熱交換器１２によって洗浄ノズル１７、１８の外面を洗浄する高温の洗浄水も発生させるので、専用の加熱装置を必要とせず、また局部洗浄水路２０に配設されるポンプ１４や流量調節切換弁１５などに高温の洗浄水を通さないので高い耐熱性が要求されず、安価に構成できる。
【００３４】
なお、上記実施形態では、ノズル洗浄水路２１の分岐部近傍に配設した第２の止水電磁弁２２を制御部２２にて開閉制御してノズル洗浄水路２１に対する洗浄水の通水制御を行うように構成したが、この第２の止水電磁弁２２に代えて、局部洗浄水路２０におけるノズル洗浄水路２１の分岐部近傍位置の温度によって作動するバイメタル式などの安全弁を配設し、局部洗浄水路２０の温度が所定温度以上になると開弁して洗浄水をノズル洗浄水路２１に通水するように構成しても良い。そうすると、局部洗浄水路２０に高温水が流れることがないため人体に高温水がかかる恐れを無くすことができるとともに、局部洗浄水路２０に耐熱性を持たせる必要がないので、安価に構成することができる。
【００３５】
また、上記実施形態では逃がし通路８に固定絞りのオリフィス９を配設した例を示したが、オリフィス９に代えて流量調整弁２８を配設するとともに、制御部２３に対してノズル洗浄時の洗浄水の温度を選択設定する温度選択手段２９による設定信号を入力し、選択設定された温度と温度検知手段２６による検知温度に応じて流量調整弁２８の開度を制御することで、ノズル洗浄水路２１に流れる水量を調整して洗浄水の水温を調整し、ノズル洗浄時の洗浄水の温度を段階的に調整できるようにしても良い。
【００３６】
また、上記実施形態では流量調節切換弁１５として、４つのポート１５ａ〜１５ｄを有するものを例示したが、さらに１つのポートを追加し、そのポートを掃除ノズル１９に接続し、局部洗浄時に、その前の水温が安定するまでや洗浄終了後にこのポートから洗浄水が流出するようにし、局部洗浄動作の前又は後で洗浄水によって洗浄ノズル１７、１８内及びその外面の洗浄を行うようにしても良い。
【００３７】
【発明の効果】
本発明のトイレ装置によれば、瞬間加熱式の熱交換器の２次側で洗浄ノズルの外面を洗浄するノズル洗浄水路を分岐したので、熱交換器で発生させた高温の洗浄水をノズル洗浄水路に通して洗浄ノズルの外面を洗浄することができ、洗浄ノズルの汚れを確実に掃除して衛生状態を確保することができ、かつ共通の熱交換器によって洗浄ノズルの外面を洗浄する高温の洗浄水も発生させるので、専用の加熱装置を必要とせず、また局部洗浄水路に配設されるポンプや切換弁などに高温の洗浄水を通さないので高い耐熱性が要求されず、安価に構成できる。
【図面の簡単な説明】
【図１】本発明の一実施形態のトイレ装置の概略構成図である。
【図２】同実施形態のトイレ装置におけるノズルユニットの縦断側面図である。
【図３】図２のＡ−Ａ矢視断面図ある。
【図４】従来例のトイレ装置の概略構成図である。
【図５】同従来例のトイレ装置におけるノズルユニットの側面図である。
【図６】図５のＢ−Ｂ矢視断面図である。
【符号の説明】
６  第１の止水電磁弁
８  逃がし通路
９  オリフィス
１２  熱交換器
１４  ポンプ
１５  流量調節切換弁
１７  おしり洗浄ノズル
１８  ビデ洗浄ノズル
２０  局部洗浄水路
２１  ノズル洗浄水路
２２  第２の止水電磁弁
２３  制御部
２４  ノズル洗浄スイッチ
２５  着座センサ
２６  温度検知手段
２７  高温検知手段
２８  流量調整弁
【図１】
2004263422.tif 000003
【図２】
2004263422.tif 000004
【図３】
2004263422.tif 000005
【図４】
2004263422.tif 000006
【図５】
2004263422.tif 000007
【図６】
2004263422.tif 000008